(57)【要約】      （修正有）【課題】ほぞ及びほぞ穴の製造を必要としないネットワーク・ジャック構造を提供する。【解決手段】ネットワーク・ジャック及びその製造方法は、ネットワーク・プラグを差し込んで接続するのに供される外露出面２１を有し、この外露出面２１の最低許容位置ＭＡにジャック孔２２が穿設されてあるジャック本体２０を提供するステップと、シングル・シャッター２３であって該ジャック孔２２内に取付けて灰塵の遮蔽に供される上下オプニング式ダスト・カバ２３を提供するステップと、該シングル・シャッター２３上に取付けられ、該シングル・シャッター２３を閉合位置に弾圧する弾性装置２４を提供するステップと、を備えている。【選択図】図２
2007220067.tif 000002
【特許請求の範囲】
【請求項１】
ネットワーク・プラグを差し込んで接続するのに供される外露出面を有し、この外露出面の最低許容位置にジャック孔が穿設されているジャック本体を提供するステップと、
シングル・シャッターであって、前記ジャック孔内に取付けて灰塵の遮蔽に供される上下オプニング式ダスト・カバを提供するステップと、
前記シングル・シャッター上に取付けられ、当該シングル・シャッターを閉合位置に弾圧する弾性装置を提供するステップと、
を備えているネットワーク・ジャックの製造方法。
【請求項２】
電子装置のネットワークへの接続に供されるネットワーク・ジャックであって、
ネットワーク・プラグを差し込んで接続するのに供される外露出面を有し、この外露出面の最低許容位置にジャック孔が穿設されているジャック本体と、
シングル・シャッターであって、前記ジャック孔内に取付けて灰塵を遮蔽する上下オプニング式ダスト・カバと、
前記シングル・シャッター上に取付けられ、前記シングル・シャッターを閉合位置に押圧する弾性装置と、
を備えてなるネットワーク・ジャック。
【請求項３】
前記電子装置はコンピュータであり、そして前記シングル・シャッターは狭長な底面を有しており、この狭長底面は該シングル・シャッターの上方への最大なシフト量を得るように、前記最低許容位置において前記ジャック本体の内底面と接触しており；及び／又は
前記シングル・シャッターは上方への移動に寄与するために側部斜面を有すると共に内縮頭部が形成されている、
請求項２記載のジャック。
【請求項４】
前記ジャック本体にはネットワーク・プラグの傾斜鉤を収納するための底部斜面が開設されており、
前記ジャック本体は更に内ジャック孔を具備した内ジャックを備え、該内ジャック孔には前記傾斜鉤が該内ジャック孔に進入するのに寄与する底部開口が開設されている、
請求項２記載のジャック。
【請求項５】
前記弾性装置は前記シングル・シャッターにおける凸柱に取付けられたスプリングであって、該シングル・シャッターを押圧して下方へ移動させ、そして前記凸柱には該スプリングを箝制する凸点が取付けられており、
前記シングル・シャッターは該シングル・シャッターのオープン方向を標示するための内凹矢印が設けられている外表面を有しており、及び／又は
前記ジャック本体には前記外露出面を保護するための保護カバが取付けられている、
請求項２記載のジャック。
【請求項６】
ネットワーク・ジャックの上下オプニング式ダスト・カバであって、外露出面を有するジャック本体内に位置して前記電子装置の前記ネットワークへの接続に供され、該外露出面の最低許容位置にジャック孔が穿設されていると共に、該ダスト・カバはシングル・シャッターであって該ジャック孔内に取付けて灰塵を遮蔽することに供され、該シングル・シャッター上には弾性装置が取付けられており、これにより該シングル・シャッターを閉合位置に押圧する、上下オプニング式ダスト・カバ。
【請求項７】
前記電子装置はコンピュータであり、そして前記シングル・シャッターは狭長底面を有しており、この狭長底面は該シングル・シャッターの上方への最大のシフト量を得るように、前記最低許容位置において前記ジャック本体と接触しており、
前記シングル・シャッターは上方への移動に寄与するために側部斜面を有すると共に内縮頭部が形成されており、及び／又は
前記ジャック本体にはネットワーク・プラグの傾斜鉤を収納するための底部斜面が開設されており、そしてこのジャック本体は更に内ジャック孔を具備した内ジャックを備え、該内ジャック孔には該傾斜鉤が該内ジャック孔に進入するのに寄与する底部開口が開設されている、
請求項６記載のジャック。
【発明の詳細な説明】
【技術分野】
【０００１】
本発明はネットワーク・ジャック及びその製造方法に関し、特にシングル・シャッターを有するネットワーク・ジャックの製造方法に関する。
【背景技術】
【０００２】
従来の和式ネットワーク・ジャックが有するダスト・カバは概略的に上下オプニングと左右オプニングとの２種のタイプに分けられ、その内の該上下オプニング式のネットワークは２片のシャッターを用いており、そして該２片のシャッターのジャック孔上における位置は上下に分段的に開けてコンピュータが該ネットワーク・ジャック内に接続することに供している。図１は２片のシャッターの和式ネットワーク・ジャックの立体見取図である。図において、ネットワーク・ジャック１０は上カバ・プレート１２と下カバ・プレート１３とに分けられた上下オプニング式のダスト・カバ１１を有している。該下カバ・プレート１３上には凸出板１４が設けられており、先ずこの下カバ・プレート１３を動かすとこのカバ・プレート１２が連動してダスト・カバ１１を開けることによりダスト・カバ１１を二つに分け、効果的に該ダスト・カバ１１のオープン前における原有高度を短縮、つまり十分にダスト・カバ１１上方における有限空間１５を利用して上下カバ・プレート１２，１３を収納している。
【発明の開示】
【発明が解決しようとする課題】
【０００３】
しかしながら、上記上、下２カバ・プレート１２，１３を製造する場合、継ぎ目１６においてそれぞれ２凸出ほぞ及び２凹入ほぞ穴（図示せず）を増設し、これらが相互嵌合することにより下カバ・プレート１３が上カバ・プレート１２で滑動できるようにしなければならない。この場合、ほぞ及びほぞ穴の製造プロセスを追加する必要があるばかりでなく、上、下２カバ・プレート１２，１３を嵌合する手続をも増加しなければならないので、製作コストの上昇を来す欠点を有している。
【０００４】
したがって、上記２片シャッター式のダスト・カバがほぞ及びほぞ穴を製造する必要がある問題を改善するために、本発明人により実験、テスト及び研究を重ねた結果、ついにシングル・シャッターの和式ネットワーク・ジャック構造を案出し、効果的に従来の上下オプニング式のダスト・カバ製造技術の欠点を解決した他に、ほぞ及びほぞ穴の製造を必要としない利便性を得た。つまり、本発明が解決しようとする課題は、従来のダスト・カバが上下２シャッターに分けなければならない問題と、ダスト・カバの上方空間が極めて有限である問題とを如何に克服してネットワーク・ジャックのダスト・カバをより簡便に製造できるかの他、シングル・シャッターが該有限空間内に収納できない問題及び該シングル・シャッターがネットワーク・ジャック内において動かされた場合どのように順調に最高位置に移動するかの問題等を解決することにある。
【課題を解決するための手段】
【０００５】
本発明により提供されるネットワーク・ジャックの製造方法は、ネットワーク・プラグを差し込んで接続するのに供される外露出面を有し、この外露出面の最低許容位置にジャック孔が穿設されているジャック本体を提供するステップと、シングル・シャッターであって該ジャック孔内に取付けて灰塵の遮蔽に供される上下オプニング式ダスト・カバを提供するステップと、該シングル・シャッター上に取付けられ、該シングル・シャッターを閉合位置に弾圧する弾性装置を提供するステップとを、備えている。
【０００６】
上記本発明の製造方法において：
該シングル・シャッターは狭長な底面を有しており、この狭長底面は該シングル・シャッターの上方への最大のシフト量を得るように、該最低許容位置において該ジャック本体の内底面と接触しており；
このシングル・シャッターは又上方への移動に寄与するために側部斜面を有すると共に内縮頭部が形成されており；
更に、該ジャック本体にはネットワーク・プラグの傾斜鉤を収納するための底部斜面が開設されており；
このジャック本体は好適には内ジャック孔を有する内ジャックを備え、該内ジャック孔には該傾斜鉤が該内ジャック孔に進入するのに寄与する底部開口が開設されており；
該弾性装置は該シングル・シャッターにおける凸柱に取付けられたスプリングであって、該シングル・シャッターを押圧して下方へ移動させるものであり；
該凸柱には該スプリングを箝制する凸点が取付けられており；
該シングル・シャッターは、該シングル・シャッターのオープン方向を標示するための内凹矢印が設けられている外表面を有しており；
また、該ジャック本体は該外露出面を保護するための保護カバが取付けられている。
【０００７】
更には本発明により提供されるネットワーク・ジャックは電子装置をネットワークに接続するためのジャックであって、ネットワーク・プラグを差し込んで接続するのに供される外露出面を有し、この外露出面の最低許容位置にジャック孔が穿設されているジャック本体と、シングル・シャッターであって該ジャック孔内に取付けて灰塵を遮蔽する上下オプニング式ダスト・カバと、該シングル・シャッター上に取付けられ、該シングル・シャッターを閉合位置に押圧する弾性装置とを備えている。
【０００８】
上記本発明のネット・ジャックにおいて：
該電子装置はコンピュータであり、そして該シングル・シャッターは狭長な底面を有しており、この狭長底面は該シングル・シャッターの上方への最大なシフト量を得るように、該最低許容位置において該ジャック本体の内底面と接触しており；
このシングル・シャッターは又上方への移動に寄与するために側部斜面を有すると共に内縮頭部が形成されており；
更に、該ダスト・カバが取付けられているジャック本体には好適にはネットワーク・プラグの傾斜鉤を収納するための底部斜面が開設されており；
該ダスト・カバが取付けられているジャック本体は更に内ジャック孔を具備した内ジャックを備え、該内ジャック孔には該傾斜鉤が該内ジャック孔に進入するのに寄与する底部開口が開設されており；
該ジャックの弾性装置は該シングル・シャッターにおける凸柱に取付けられたスプリングであって、該シングル・シャッターを押圧して下方へ移動させるものである。
【０００９】
また、本発明により提供されるネットワーク・ジャックの上下オプニング式ダスト・カバは外露出面を有するジャック本体内に位置して電子装置のネットワークへの接続に供され、該外露出面の最低許容位置にジャック孔が穿設されていると共に、該ダスト・カバはシングル・シャッターであって該ジャック孔内に取付けられて灰塵を遮蔽することに供され、該シングル・シャッター上には弾性装置が取付けられており、これにより該シングル・シャッターを閉合位置に押圧する。
【００１０】
上記本発明のネットワーク・ジャックにおいて：
該ネットワーク・ジャックを利用する電子装置はコンピュータであり、そして該シングル・シャッターは狭長底面を有しており、この狭長底面は該シングル・シャッターの上方への最大のシフト量を得るように、該最低許容位置において該ジャック本体の内底面と接触しており；
このシングル・シャッターは又上方への移動に寄与するために側部斜面を有すると共に内縮頭部が形成されており；
更に、該ダスト・カバが取付けられているジャック本体には好適にはネットワーク・プラグの傾斜鉤を収納するための底部斜面が開設されており；
該ダスト・カバが取付けられているジャック本体は更に内ジャック孔を具備した内ジャックを備え、該内ジャック孔には該傾斜鉤が該内ジャック孔に進入するのに寄与する底部開口が開設されている。
【発明の効果】
【００１１】
このように本発明は上記発明の開示により、該ネットワーク・ジャックの製造方法は、確かに外露出面上の最低許容位置を利用してジャック孔を穿設できるので、遂に該シングル・シャッターをジャック孔内に取付けることができ、且つ該シングル・シャッターの狭長底面が該最低許容位置で該ジャック本体の内底面と接触するので、該シングル・シャッターの上方への最大シフト量を得ることができる特色を有する。
【発明を実施するための最良の形態】
【００１２】
以下、本発明の技術的手段をより瞭解できるように、好適な実施例を挙げて添付図面を参照しながらその実施の形態を説明する。
【００１３】
図２〜図４は本発明のネットワーク・ジャック２２１の製造方法の一実施例を示す図である。この方法のステップにおいて、先ずジャック本体２０を提供する。このジャック本体２０はネットワーク・プラグ３０（図３参照）を差し込んで接続するのに供する外露出面２１を有し、この外露出面２１の最低許容位置ＭＡにおいてジャック孔２２が穿設されている。次に、上下オプニング式ダスト・カバ２３を提供する。このダスト・カバ２３はシングル・シャッターであって、ジャック孔内２２内に取付けて灰塵を遮蔽する。次に２つの弾性装置２４を提供する。該弾性装置２４はシングル・シャッター２３上に取付けられ、このシングル・シャッター２３を図４に示すような閉合位置ＣＰに弾圧する。
【００１４】
図２に示すように、該方法におけるシングル・シャッター２３は、シングル・シャッター２３の上方への移動に寄与するように２つの側部斜面２６を有すると共に内縮頂部２７が形成されている。ジャック本体２０には図３に示すネットワーク・プラグ３０の傾斜鉤３１を収納するための底部斜面が開設されている。ジャック本体２０は更に内ジャック孔２９を有する内ジャック２８を備えており、該内ジャック孔２９には、傾斜鉤３１が内ジャック孔２９に進入するのに寄与する底部開口２９１が開設されている。シングル・シャッター２３は狭長底面５０（図５参照）を有しており、この狭長底面５０はシングル・シャッター２３の上方への最大シフト量ＡＵを得るように、最低許容位置ＭＡにおいてジャック本体２０の内底面２５と接触している。弾性装置２４はスプリングであり、当該２つのスプリング２４によりシングル・シャッター２３をプレスすれば、効果的にシングル・シャッター２３が押し上げられた後、シングル・シャッター２３とジャック本体２０との間の静摩擦力が過大なために、重力による自然落下に頼れない現象を克服することができる。また、シングル・シャッター２３には凸柱２３１が取付けられてあり、スプリング２４を該凸柱２３１に取付けることによりシングル・シャッター２３を押圧して下方へ移動させる。
【００１５】
凸柱２３１にはスプリング２４を箝制する凸点２３２が取付けられている。シングル・シャッター２３には該シングル・シャッターのオープン方向を標示するための内凹矢印２３４が設けられている外表面２３３を有している。また、ジャック本体２０には外露出面２１を保護するための保護カバ２１１が取付けられている。図６は図２中の内ジャック内部に取付けられている端子座、回路板及び支持フレーム三者の解体見取図である。この図から内ジャック２８における二つの端子座６０、金針支持フレーム６１及び印刷回路６２の間の組合関係を知る。
【００１６】
また、本発明の主要技術手段とするネットワーク・ジャック２２１は電子装置（図示せず）のネットワークへの接続に用いられ、ネットワーク・プラグを差し込んで接続するのに供される外露出面２１を有し、この外露出面２１の最低許容位置ＭＡにジャック孔２０が穿設されているジャック本体２０と、シングル・シャッター２３であってジャック孔２２内に取付けて灰塵を遮蔽する上下オプニング式ダスト・カバ２３と、シングル・シャッター２３上に取付けられ、該シングル・シャッター２３を閉合位置ＣＰに押圧する弾性装置２４と、を備えている。この場合、ネットワーク・ジャック２２１を利用する電子装置は好適にはコンピュータが用いられる。
【００１７】
なお本発明の主要技術手段とするネットワーク・ジャック２２１の上下オプニング式ダスト・カバ２３は外露出面２１を有するジャック本体２０内に位置して電子装置のネットワークへの接続に供され、該外露出面２１の最低許容位置ＭＡにジャック孔２２が穿設されてあると共に、該ダスト・カバ２３はシングル・シャッター２３であって該ジャック孔２２内に取付けて灰塵を遮蔽することに供され、該シングル・シャッター２３上には２弾性装置２４が取付けられており、これによりシングル・シャッター２３を閉合位置ＣＰに押圧する。この場合、ダスト・カバ２３は単独に販売できる部材である。ダスト・カバ２３とジャック２０との組合せのその他細節は上記に説明されたのと同様であるのでその説明を省略する。
【００１８】
要するに、本発明は確かに新規な設計で、外露出面上の最低許容位置を利用してジャック孔を穿設できるので、遂に該シングル・シャッターをジャック孔内に取付けることができ、且つ該シングル・シャッターの狭長底面が該最低許容位置で該ジャック本体の内底面と接触するので、該シングル・シャッターの上方への最大シフト量を得ることができる。
【００１９】
上記実施の形態の実施例は本発明をより具体的に説明するために挙げたもので、本発明の技術的思想は決してこれに限定されず、添付クレームの範囲を逸脱しない限り、当業者による単純な設計変更、付加、修飾等はいずれも本発明の技術的範囲に属する。
【図面の簡単な説明】
【００２０】
【図１】従来の２片シャッター式の和式ネットワーク・ジャックの立体見取図である。
【図２】本発明のネットワーク・ジャックの好適な実施例の解体立体見取図である。
【図３】図２のジャックと接続したプラグの側視見取図である。
【図４】図２におけるジャックの組合完成の立体見取図である。
【図５】図２におけるダスト・カバの底面を示す立体見取図である。
【図６】図２中の内ジャック内部に取付けられた端子座、回路板及び支持フレームの解体立体見取図である。
【図７】図４におけるジャックの正面見取図である。
【符号の説明】
【００２１】
１０…ネットワーク・ジャック、１１…ダスト・カバ、１２…上カバ・プレート、１３…下カバ・プレート、１４…凸出板、１５…有限空間、１６…継ぎ目、２０…ジャック本体、２１…外露出面、２１１…保護カバ、ＭＡ…最低許容位置、２２…ジャック孔、２２１…ネットワーク・ジャック、２３…ダスト・カバ／シングル・シャッター、２３１…凸柱、２３２…凸点、２３３…外表面、２３４…内凹矢印、２４…弾性装置／スプリング、ＣＰ…閉合位置、２５…内底面、２６…側部斜面、２７…内縮頂部、２８…内ジャック、２９…内ジャック孔、２９１…底部開口、３０…ネットワーク・プラグ、３１…傾斜鉤、５０…狭長底面、６０…端子座、６１…金針支持フレーム、６２…印刷回路板、ＡＵ…上方への最大シフト量。
【図１】
2007220067.tif 000003
【図２】
2007220067.tif 000004
【図３】
2007220067.tif 000005
【図４】
2007220067.tif 000006
【図５】
2007220067.tif 000007
【図６】
2007220067.tif 000008
【図７】
2007220067.tif 000009